(57)【要約】【課題】  希釈と充填を同時に行えるようにすることにより、ユーザの使い勝手を向上させる。【解決手段】本発明の溶液噴霧システム１は、充填用液体を流入すると共に、封が可能な第１の充填口３１と、圧力がかかった状態で、充填口３１から充填された充填用液体を希釈する希釈液が流入される第２の充填３２と、充填用液体及び希釈液を保持するタンク部３３と、圧力を伴った状態で、充填用液体及び希釈液からなる噴霧用液体を排出する排出部とを有する充填器２と、蓄圧式の噴霧器３とを有する。【選択図】  図１
2015036079.tif 000002
【特許請求の範囲】
【請求項１】
充填用液体を流入すると共に、封が可能な第１の充填口と、
前記第１の充填口から充填された充填用液体を押し出す押出液が流入される第２の充填口と、
前記充填用液体及び前記押出液を保持するタンク部と、
圧力を伴った状態で、前記充填用液体及び前記押出液、若しくは前記充填用液体からなる噴霧用液体を排出する排出部とを有する充填器と、
前記圧力を伴った前記噴霧用液体が流入される流入口と、
前記噴霧用液体が保持される液体保持部と、
前記液体保持部に隣接して設けられ、前記噴霧用液体の体積に応じて体積を変化させることにより圧力を蓄える蓄圧部と、
前記液体保持部から延設された誘導管と、
前記誘導管に接続して設けられた噴霧ノズルとを有する噴霧器と
を有することを特徴とする溶液噴霧システム。
【請求項２】
前記押出液は、
前記充填用液体を希釈する希釈液であり、
前記タンク部の容量は前記液体保持部の容量の０．５〜０．１倍である
ことを特徴とする請求項１に記載の溶液噴霧システム。
【請求項３】
前記噴霧器は、
前記流入口を塞ぐ流入口栓と、
前記誘導管に設けられた開閉可能な開閉弁と
前記噴霧器の運搬を容易にするための運搬部と
を有することを特徴とする請求項１〜２のいずれかに記載の溶液噴霧システム。
【請求項４】
前記充填用液体は、
除菌、殺菌又は滅菌効果のある水溶液であり、前記希釈液は水である
ことを特徴とする請求項１〜３のいずれかに記載の溶液噴霧システム。
【請求項５】
前記充填用液体は、
次亜塩素酸を含有する
ことを有することを特徴とする請求項２〜４のいずれかに記載の溶液噴霧システム。
【請求項６】
前記充填用液体は、
食塩水を電気分解して生成される酸性電解水である
ことを特徴とする請求項１〜５のいずれかに記載の溶液噴霧システム。
【請求項７】
前記充填口には、
水道が接続される
ことを特徴とする請求項１〜６のいずれかに記載の溶液噴霧システム。
【請求項８】
前記充填口には、
手動式ポンプが接続される
ことを特徴とする請求項１〜６のいずれかに記載の溶液噴霧システム。
【請求項９】
前記充填器は、
前記第１の充填口及び前記排出部と、前記第２の充填口とを隔離する隔離膜を有する
ことを特徴とする請求項１に記載の溶液噴霧システム。
【発明の詳細な説明】
【技術分野】
【０００１】
本発明は、例えば除菌、殺菌、消臭などを目的とした溶液噴霧システムに関するものである。
【背景技術】
【０００２】
従来、除菌などを行いたい箇所に的確に除菌溶液を散布するために、キャリー式の消臭液、除菌液の散布装置が提案されている（例えば特許文献１参照）。
【０００３】
この消臭・除菌液散布装置では、コンプレッサーを内蔵し、電気によってコンプレッサーを駆動させることにより、散布装置内に流入した消臭・除菌液を散布するようになされている。
【先行技術文献】
【特許文献】
【０００４】
【特許文献１】特開２００１−９３３５号公報
【発明の概要】
【発明が解決しようとする課題】
【０００５】
ところで、特許文献１に記載の消臭・除菌液散布装置は、例えば畜産場など電源がないもしくは非常に少ない屋外などで使用される場合が多い。
【０００６】
上述した消臭・除菌液散布装置は、装置内にコンプレッサーを内蔵しており、散布に電気を使用するため、わざわざ電源を確保しなくてはならないなど、使い勝手が悪いという問題があった。
【０００７】
本発明はこのような問題を解決するためになされたもので、その目的は、使い勝手の良い溶液噴霧システムを提供するものである。
【課題を解決するための手段】
【０００８】
かかる課題を解決するため、本発明の溶液噴霧システムでは、充填用液体を流入すると共に、封が可能な第１の充填口と、第１の充填口から充填された充填用液体を押し出す押出液が流入される第２の充填口と、充填用液体及び押出液を保持するタンク部と、圧力を伴った状態で、充填用液体及び押出液、若しくは充填用液体からなる噴霧用液体を排出する排出部とを有する充填器と、圧力を伴った噴霧用液体が流入される流入口と、噴霧用液体が保持される液体保持部と、液体保持部に隣接して設けられ、噴霧用液体の体積に応じて体積を変化させることにより圧力を蓄える蓄圧部と、液体保持部から延設された誘導管と、誘導管に接続して設けられた噴霧ノズルとを有する噴霧器とを有することようにした。
【０００９】
これにより、溶液噴霧システムでは、電源が確保できない場所であっても噴霧器に対して噴霧用溶液の充填を行うことができる。
【発明の効果】
【００１０】
本発明は電源が確保できない場所であっても噴霧器に対して噴霧用溶液の充填を行うことができ、ユーザの使い勝手を向上させ得る溶液噴霧システムを実現できる。
【図面の簡単な説明】
【００１１】
【図１】溶液噴霧システムの構成を示す略線図である。
【図２】充填器の構成を示す略線図である。
【図３】他の実施の形態における充填器（１）を示す略線図である。
【図４】他の実施の形態における充填器（２）を示す略線図である。
【発明を実施するための形態】
【００１２】
次に本発明を実施するための形態について図面を参照して説明する。
【００１３】
＜実施の形態＞
［１−１．溶液噴霧システムの構成］
図１は全体として溶液噴霧システム１を示しており、例えば酸性電解水など除菌効果のある水溶液が噴霧されることが想定されている。この溶液噴霧システム１では、噴霧器２と充填器３と水道口４とが、ホース５及び６を介して接続されている。
【００１４】
噴霧器２は、蓄圧可能なアキュムレータ方式を採用している。すなわち、流入口２１から圧力がかかった状態で噴霧用液体が流入されると、液体保持部２２に充填される。噴霧器２の内部には体積変化が可能な状態で窒素ガスなどの気体が充填された蓄圧部２３を有している。液体保持部２２に噴霧用液体が流入されると、隣接する蓄圧部２３の体積が縮小し、圧力が蓄えられる。
【００１５】
液体保持部２２には、誘導管２４が接続されており、その先端に噴霧ノズル２６が設けられている。誘導管２４には、開閉可能な開閉弁２７が設けられており、噴霧を行うとき以外には閉じられている。噴霧用液体の充填が終了すると、流入口栓２８によって流入口が塞がれる。
【００１６】
そして開閉弁２７が開放されると、蓄えられた圧力により、噴霧用液体が噴霧ノズル２６から噴霧される。
【００１７】
上述した噴霧器２は、圧力がかかった状態で噴霧用液体を流入口２１に流入させて蓄圧する必要がある。したがって、例えば水道水を噴霧する場合には水圧を使用することができるが、容器に入った状態の水溶液などを同様の手法で噴霧器２に充填することは困難である。
【００１８】
例えば、電動ポンプを使用することにより、噴霧器２へ圧力がかかった状態で噴霧用液体を流入させる場合、電源を必要とする他、特に酸性の水溶液を噴霧用液体として使用する場合、ポンプの配管が腐食する恐れがあり、耐腐食の加工が施されたポンプを使用する必要が生じる。
【００１９】
ところで、除菌効果のある除菌水溶液としては、例えば食塩水を電気分解して作られる酸性電解水や次亜塩素酸ソーダを溶解させた次亜塩素酸を含む水溶液などがある。これらの水溶液は、所定濃度の水溶液が作製された後に希釈して使用されるのが一般的である。
【００２０】
例えば、酸性電解水は、２０〜７０ｐｐｍ程度の次亜塩素酸濃度で作製されるが、室内に噴霧する場合には、１０ｐｐｍ以上であれば効果に差異が生じないことが、出願人の実験で明らかにされている。
【００２１】
一方、酸性電解水は、次亜塩素酸を含有するため、濃度が高くなると僅かではあるが塩素ガスが発生するリスクが高まる他、室内にある金属の腐食が高まる恐れが生じてしまう。もちろん、人体や家畜に対する影響はないものの、心理的には次亜塩素酸の濃度が低いことが望ましい。
【００２２】
そこで本発明の溶液噴霧システムでは、除菌水溶液を水道水で希釈すると共に、当該水道水の水圧を利用することにより、無動力で噴霧器２に噴霧用液体を充填するようにしている。
【００２３】
すなわち、充填器３は、充填用液体としての除菌水溶液を水道水で押し出しながら、水道水で除菌水溶液を希釈する。
【００２４】
図２に示すように、充填器３は、除菌水溶液を流入する充填口３１と、ホース６を介して水道４と接続された充填口３２と、充填口３１及び３２から流入された除菌水溶液及び水道水を保持するタンク部３３と、タンク部３３から除菌水溶液及び水道水を排出する排出部３４とを有している。
【００２５】
まず、充填口３１を介してタンク部３３に除菌水溶液が充填される。充填口３１は、例えば容器に入った除菌水溶液を流入しやすいように、充填器３の上部に設けられ、漏斗のように上部が広く開口している。
【００２６】
タンク部３３が満杯になると、充填口３１に蓋３１ａが閉められ、封がされる。そしてホース６を介して水道４の圧力がかかった状態で水道水が流入されると、タンク部３３に充填されていた除菌水溶液が押し出され、圧力がかかった状態で排出部３４及びホース５を介して噴霧器２の流入口２１へ流入する。
【００２７】
全ての除菌水溶液が押し出されると、続いてタンク部３３に保持された水道水が、圧力のかかった状態で排出部３４及びホース５を介して噴霧器２の流入口２１へ流入する。
【００２８】
そして噴霧器２の液体保持部２２に一定の液量が保持され、液体保持部２２内部の圧力と、水道４の水圧とが拮抗すると、噴霧器２への水道水の充填が終了する。
【００２９】
例えば、噴霧器２の液体保持部２２の満水容量が１０リットルであり、充填器３のタンク部３３の満水容量が２リットルである場合、充填器３に５０ｐｐｍの次亜塩素酸濃度でなる除菌水溶液を流入し、その後充填器３に水道水を流入する。
【００３０】
この結果、充填器３から噴霧器２へ２リットルの除菌水溶液が充填された後、８リットルの水道水が充填され、充填が終了する。この結果、噴霧器２には、５倍希釈された合計１０リットルの噴霧用液体が充填される。
【００３１】
このタンク部３３と満水容量は、液体保持部２２の満水容量「１」に対して「０．１〜０．５」であることが好ましく、さらに好ましくは「０．１４〜０．５」である。この液体保持部２２とタンク部３３との容量比によって自動的に希釈倍率が決定することから、噴霧したい溶液濃度に応じて、充填器３に充填される除菌水溶液の濃度が調整される。
【００３２】
そして噴霧器２の流入口栓２８が閉じられた状態でホース５が外されると、噴霧器２を自由に可動することができる。噴霧器２は、例えばキャスター付きの台車部４０に載置されており、台車部４０を移動させることにより、噴霧器２を自由な箇所へ移動させ、開閉弁２７の開放によって自由な箇所で希釈された除菌水溶液を噴霧することができる。
【００３３】
なお、噴霧器２による除菌水溶液の噴霧は無動力で実行されるが、液体保持部２２の容量が１０リットルの噴霧器２において、無動力のまま４時間の噴霧が実行されたことが、本願発明人によって確認されている。
【００３４】
以上の構成によれば、本発明の溶液噴霧システム１における充填器３は、充填用液体である除菌水溶液を流入すると共に、蓋３１ａによって封が可能な第１の充填口としての充填口３１と、充填口３１から充填された除菌水溶液を押し出す押出液としての水道水が流入される第２の充填口としての充填口３２と、除菌水溶液及び水道水を保持するタンク部３３と、圧力を伴った状態で、除菌水溶液及び水道水からなる噴霧用液体を排出する排出部３４とを有する。
【００３５】
また、溶液噴霧システム１における噴霧器２は、圧力を伴った噴霧用液体が流入される流入口２１と、噴霧用液体が保持される液体保持部２２と、液体保持部２２に隣接して設けられ、噴霧用液体の体積に応じて体積を変化させることにより圧力を蓄える蓄圧部２３と、液体保持部２２から延設された誘導管２４と、誘導管２４に接続して設けられた噴霧ノズル２６とを有する。
【００３６】
これにより、溶液噴霧システム１では、充填器３を用いることにより、圧力を伴って噴霧用液体を流入させる必要のある噴霧器２に対し、希釈と同時に圧力を加えて噴霧用液体を流入させることができ、希釈後に圧力を加える方法と比較して、手間を省くことが可能となる。
【００３７】
充填器３におけるタンク部３３の容量は噴霧器２における液体保持部２２の容量の０．５〜０．１倍である。これにより、溶液噴霧システム１では、２〜１０倍希釈しながら噴霧器２に対して噴霧用液体を充填することができる。これにより、２〜１０倍濃度の水溶液を簡易に希釈することが可能となる。また、高濃度の水溶液を希釈する際には、調整する水溶液の量を減少させることができ、希釈の手間を低減できる。
【００３８】
噴霧器２は、流入口２１を塞ぐ流入口栓２８と、誘導管２４に設けられた開閉可能な開閉弁２７と、噴霧器２の運搬を容易にするための運搬部である台車部４０とを有する。これにより、溶液噴霧システム１では、噴霧器２を充填器３から切り離し、噴霧器２のみを噴霧対象となる場所に移動させることができ、噴霧器２の運搬を容易にさせ得る。また、１台の充填器３に対して複数の噴霧器２を用いることができ、噴霧の効率を向上させ得る。
【００３９】
充填器２に流入される充填用液体は、除菌、殺菌又は滅菌効果のある水溶液であり、希釈液は水であることにより、噴霧による効果が高く得られる分野で、溶液噴霧システム１を効果的に活用できる。
【００４０】
充填用液体は、次亜塩素酸を含有することにより、噴霧による除菌が効果的に実行できる。
【００４１】
充填用液体は、食塩水を電気分解して生成される酸性電解水であることにより、希釈及び充填を１ステップで行うことができ、噴霧までの手間を省略できる。
【００４２】
充填口３１には、水道４が接続されることにより、別途ポンプなどを準備することなく、完全無動力で噴霧器２からの噴霧が可能となる。
【００４３】
＜他の実施の形態＞
なお上述した実施の形態において、充填口３２はホース６を介して水道４に接続されるようにした場合について述べたが、本発明はこれに限らない。例えば、手動式のポンプや充電式などの電動ポンプを使用することも可能である。この場合であっても、ポンプには水道水が通されるだけなので、腐食などの心配がない。また、地震などの災害時において、電源及び水道の双方がダウンしている場合であっても、手動ポンプを使用した場合には無動力で、電動ポンプを使用した場合でも非常に少ない電力で溶液を噴霧することが可能となる。
【００４４】
例えば、避難所などで屋内に人がたくさん集まる場合には、細菌やウィルスの発生による感染病の万延が心配される。本発明の溶液噴霧システム１を使用することにより、電源なく、かつ水をほとんど無駄にすることなく、除菌水溶液を効果的に噴霧することが可能となる。
【００４５】
また、上述した実施の形態において、除菌水溶液が噴霧されるようにした場合について述べたが、本発明はこれに限らず、例えば、農薬の散布などに使用されてもよい。農薬は通常、１００倍〜１００００倍などの高倍率希釈が必要となる。例えば１００倍希釈する場合には、１０倍濃度の農薬水溶液を調製しておき、１０倍希釈用の充填器３によってさらに１０倍に希釈するようにする。溶液噴霧システム１では、蓄圧部２３の圧力と水道４の圧力とが拮抗した時点がほぼ液体保持部２２の容量となって自動的に水の充填が停止されるため、水量の測定が不要となる。この結果、ユーザが直接希釈の溶液を作るよりも、１／１０の水量の溶液を調製するだけで済み、ユーザの希釈動作を簡易にすることが可能となる。また、タンク部３３の容量の１／１０の農薬原液をタンク部３３に入れ、タンク部３３の容量一杯まで水を入れることにより、１０倍濃度の農薬水溶液を調製してもよい。
【００４６】
さらに、上述した実施の形態において、タンク部３３の容量が液体保持部２２の０．５〜０．１倍であるようにした場合について述べたが、本発明はこれに限らない。例えば、高濃度希釈が必要な場合には、０．０１倍の容量にすることにより、直接１００倍希釈を行うことも可能となる。
【００４７】
さらに、上述した実施の形態においては、台車部４０に噴霧器２が載置されるようにした場合について述べたが、本発明はこれに限らず、噴霧器２にキャスターが直接つけられていてもよい。
【００４８】
さらに、上述した実施の形態においては、噴霧器２が充填器３から切り離せるようにした場合について述べたが、本発明はこれに限らず、一体化していてもよい。
【００４９】
さらに、上述した実施の形態においては、噴霧用溶液が水溶液であるようにした場合について述べたが、本発明はこれに限らず、有機溶剤に溶解した溶液であってもよい。溶液としては、用途に応じて種々のものを使用することができる。
【００５０】
さらに、上述した実施の形態においては、タンク部３３が寸胴の円柱形状でなるようにした場合について述べたが、本発明はこれに限らず、例えば管がとぐろを巻くようにしてタンク部３３を構成してもよい。これにより、先に流入された除菌溶液が水道水と撹拌されて混合するおそれがほとんどない状態で、確実に除菌溶液のほとんどすべてを押し出して噴霧器２に充填することができる。
【００５１】
さらに上述した実施の形態においては、充填器３に予め充填された除菌水溶液を水道水が押し出すと共に、当該除菌水溶液を希釈するようにした場合について述べた。本発明はこれに限らず、予め充填された除菌水溶液を水道水が押し出せば良い。例えば、図３に示すように、充填器１０３が充填口３１及び排出部３４と、充填口３２とを隔離する隔離膜１３９を有するようにしても良い。
【００５２】
この場合、隔離膜１３９によって除菌水溶液と水道水とが隔離された状態にある。このため、図４に示すように、除菌水溶液がタンク部３３に充填された状態で充填口３２から水道水が流入されると、水道水が除菌水溶液を押し出して、圧力のかかった状態で排出部３４から除菌水溶液のみを押し出すことが可能となる。隔離膜１３９の材質に制限はないが、圧力を適切に伝達できるよう、弾性を有するプラスチック素材や、ゴムなどの伸縮性を有する素材が好ましい。
【００５３】
さらに上述した実施の形態においては、第１の充填口としての充填口３１と、第２の充填口としての充填口３２と、タンク部としてのタンク部３３と、排出部としての排出部３４とから充填器としての充填器３を構成するようにした場合について述べた。本発明はこれに限らず、その他種々の構成でなる第１の充填口と、第２の充填口と、タンク部と、排出部とによって本発明の溶液噴霧システムにおける充填器を構成するようにしても良い。
【００５４】
さらに上述した実施の形態においては、流入口としての流入口２１と、液体保持部としての液体保持部２２と、蓄圧部としての蓄圧部２３と、誘導管としての誘導管２４と、噴霧ノズルとしての噴霧ノズル２６とによって噴霧器としての噴霧器２を構成するようにした場合について述べた。本発明はこれに限らず、その他種々の構成でなる流入口と、液体保持部と、蓄圧部と、誘導管と、噴霧ノズルとによって本発明の溶液噴霧システムにおける噴霧器を構成するようにしても良い。
【００５５】
さらに上述した実施の形態においては、噴霧器２と充填器３とによって溶液噴霧システム１を構成するようにした場合について述べた。本発明はこれに限らず、その他種々の構成による噴霧器と充填器によって本発明の溶液噴霧システムを構成するようにしても良い。
【産業上の利用可能性】
【００５６】
本発明は、例えば畜産場に酸性電解水を噴霧する溶液噴霧システムに適用することができる。
【符号の説明】
【００５７】
１・・・・・・溶液噴霧システム
２・・・・・・噴霧器
３・・・・・・充填器
２１・・・・・・流入口
２２・・・・・・液体保持部
２３・・・・・・蓄圧部
２６・・・・・・噴霧ノズル
３１、３２・・・・・・充填口
３３・・・・・・タンク部
２４・・・・・・排出部
【図１】
2015036079.tif 000003
【図２】
2015036079.tif 000004
【図３】
2015036079.tif 000005
【図４】
2015036079.tif 000006
【手続補正書】
【提出日】平成26年10月1日(2014.10.1)
【手続補正１】
【補正対象書類名】特許請求の範囲
【補正対象項目名】全文
【補正方法】変更
【補正の内容】
【特許請求の範囲】
【請求項１】
充填用液体を流入すると共に、封が可能な第１の充填口と、
前記第１の充填口から充填された充填用液体を押し出す押出液が水道の圧力を伴って流入される第２の充填口と、
前記充填用液体及び前記押出液を保持するタンク部と、
圧力を伴った状態で、前記充填用液体及び前記押出液、若しくは前記充填用液体からなる噴霧用液体を排出する排出部とを有する充填器と、
前記圧力を伴った前記噴霧用液体が流入される流入口と、
前記噴霧用液体が保持される液体保持部と、
前記液体保持部に隣接して設けられ、前記噴霧用液体の体積に応じて体積を変化させることにより圧力を蓄える蓄圧部と、
前記液体保持部から延設された誘導管と、
前記誘導管に接続して設けられた噴霧ノズルとを有する噴霧器とを有し、
前記押出液は、
前記充填用液体を希釈する希釈液としての水道水である
ことを特徴とする溶液噴霧システム。
【請求項２】
前記タンク部の容量は前記液体保持部の容量の０．５〜０．１倍である
ことを特徴とする請求項１に記載の溶液噴霧システム。
【請求項３】
前記噴霧器は、
前記流入口を塞ぐ流入口栓と、
前記誘導管に設けられた開閉可能な開閉弁と
前記噴霧器の運搬を容易にするための運搬部と
を有することを特徴とする請求項１〜２のいずれかに記載の溶液噴霧システム。
【請求項４】
前記充填用液体は、
除菌、殺菌又は滅菌効果のある水溶液である
ことを特徴とする請求項１〜３のいずれかに記載の溶液噴霧システム。
【請求項５】
前記充填用液体は、
次亜塩素酸を含有する
ことを有することを特徴とする請求項２〜４のいずれかに記載の溶液噴霧システム。
【請求項６】
前記充填用液体は、
食塩水を電気分解して生成される酸性電解水である
ことを特徴とする請求項１〜５のいずれかに記載の溶液噴霧システム。
【手続補正２】
【補正対象書類名】明細書
【補正対象項目名】０００８
【補正方法】変更
【補正の内容】
【０００８】
かかる課題を解決するため、本発明の溶液噴霧システムでは、充填用液体を流入すると共に、封が可能な第１の充填口と、第１の充填口から充填された充填用液体を押し出す押出液が水道の圧力を伴って流入される第２の充填口と、充填用液体及び押出液を保持するタンク部と、圧力を伴った状態で、充填用液体及び押出液、若しくは充填用液体からなる噴霧用液体を排出する排出部とを有する充填器と、圧力を伴った噴霧用液体が流入される流入口と、噴霧用液体が保持される液体保持部と、液体保持部に隣接して設けられ、噴霧用液体の体積に応じて体積を変化させることにより圧力を蓄える蓄圧部と、液体保持部から延設された誘導管と、誘導管に接続して設けられた噴霧ノズルとを有する噴霧器とを有し、前記押出液は、前記充填用液体を希釈する希釈液であるようにした。
【手続補正３】
【補正対象書類名】明細書
【補正対象項目名】０００９
【補正方法】変更
【補正の内容】
【０００９】
これにより、圧力を伴って噴霧用液体を流入させる必要のある噴霧器に対し、希釈と同時に圧力を加えて噴霧用の水道水を流入させることができ、希釈後に圧力を加える方法と比較して、手間を省くことが可能となる。
【手続補正４】
【補正対象書類名】明細書
【補正対象項目名】００１０
【補正方法】変更
【補正の内容】
【００１０】
本発明は、ユーザの使い勝手を向上させ得る溶液噴霧システムを実現できる。